(57)【要約】【課題】  規定サイズ以外の原稿サイズであっても、原稿画像の欠落を防ぎ、原稿と等倍率の原稿画像の読取りを可能とする画像形成装置の画像読取り方法及び画像形成装置を提供することを目的とする。【解決手段】  原稿のサイズを検知するサイズ検知センサ７５と、前記サイズ検知センサ７５の出力に基づいて、規格化されているサイズのうち、どのサイズの原稿であるかを判別する用紙判別部７６と、前記用紙判別部７６が判別した原稿のサイズ以上で前記原稿を読取る読取り部７４とを有している。【選択図】  図５
2006262166.tif 000002
【特許請求の範囲】
【請求項１】
原稿のサイズを検知するサイズ検知センサと、
前記サイズ検知センサの出力に基づいて、規格化されているサイズのうち、どのサイズの原稿であるかを判別する用紙判別手段と、
前記原稿を読取る読取り手段とを有する画像形成装置の画像読取り方法であって、
前記読取り手段は、前記用紙判別手段が判別した原稿のサイズ以上で前記原稿を読取ることを特徴とする画像形成装置の画像読取り方法。
【請求項２】
前記用紙判別手段が判別した原稿の規格化されたサイズに応じて、読取りの主走査幅及び又は読取りの副走査幅を拡大して原稿を読取ることを特徴とする請求項１記載の画像形成装置の画像読取り方法。
【請求項３】
前記読取り手段は、前記用紙判別手段が判別した原稿の規格化されたサイズよりも一つ以上大きい規格化されたサイズで読取ることを特徴とする請求項１記載の画像形成装置の画像読取り方法。
【請求項４】
原稿のサイズを検知するサイズ検知センサと、
前記サイズ検知センサの出力に基づいて、規格化されているサイズのうち、どのサイズの原稿であるかを判別する用紙判別手段と、
前記用紙判別手段が判別した原稿のサイズ以上で前記原稿を読取る読取り手段とを有することを特徴とする画像形成装置。
【発明の詳細な説明】
【技術分野】
【０００１】
本発明は、画像形成装置の画像読取り方法及び画像形成装置に関する。
【背景技術】
【０００２】
画像形成装置は、原稿サイズの識別のため、サイズ検知センサが利用されている。図１は、画像形成装置におけるサイズ検知センサの配置を示す図である。ライン１１は、原稿台のセンターラインである。検知センサ１２は、A4幅を検知する検知センサである。検知センサ１３は、A３幅を検知する検知センサである。検知センサ１４は、A２幅を検知する検知センサである。検知センサ１５は、A１幅を検知する検知センサである。検知センサ１６は、A０幅を検知する検知センサである。検知センサは、図のように、それぞれの原稿幅が検知できるように原稿幅に応じた位置に配置されている。
【０００３】
しかしながら、規格外の用紙サイズの場合、読取る範囲に不具合が生じるという問題があった。図２は、その問題を説明する図である。図２（A）は、定型紙と非定型紙を示す図である。定型紙３１は、定型サイズであるA４サイズの用紙である。非定型紙３２は、定型サイズであるA４サイズよりもやや大きめの用紙である。図２（B）は、非定型紙を原稿台にセットした場合、原稿の読取り不能な範囲が生じることを示す図である。ライン３３は、原稿台のセンターラインである。検知センサ３４は、A４幅を検知する検知センサである。検知センサ３５は、A３幅を検知する検知センサである。図のように、非定型紙３２をセットした場合、読取り範囲は用紙の定型規格の範囲内となる。図の場合、セットされた用紙はA4版として検出されるのでA4版として読取られる。その結果、定型規格よりもはみ出した部分３７は、読取り不能となってしまい、読取り不能範囲３７の領域は画像が欠落してしまうという問題があった。
【０００４】
そこで、この問題を解決する従来技術として、検知センサから得た原稿サイズ情報に基づいて、原稿用紙サイズに最も近い用紙規格の用紙サイズに適合した画像形成倍率を算出演算手段を備えた構成により、原稿サイズが不定形であっても、画像の欠落を防止するという方法がある（参考文献１参照。）。
【特許文献１】特開２００２−２４４５００号公報
【発明の開示】
【発明が解決しようとする課題】
【０００５】
しかしながら、従来技術では、原稿用紙サイズに最も近い用紙規格の用紙サイズに適合した画像形成倍率により画像を形成するため、原稿サイズが非定型サイズの場合、形成される画像は原稿画像よりも拡大又は縮小されてしまい、等倍率の画像を得ることができないという問題があった。
【０００６】
本発明は、上記の点に鑑みなされたもので、規定サイズ以外の原稿サイズであっても、原稿画像の欠落を防ぎ、原稿と等倍率の原稿画像の読取りを可能とする画像形成装置の画像読取り方法及び画像形成装置を提供することを目的とする。
【課題を解決するための手段】
【０００７】
上記目的を達成するために、本発明は、原稿の規定サイズを検知するサイズ検知センサと、前記サイズ検知センサの出力に基づいて、規定サイズを判別する用紙判別手段と、前記原稿を読取る読取り手段とを有する画像形成装置の画像読取り方法であって、前記読取り手段は、前記用紙判別手段が判別した原稿の規定サイズ以上で前記原稿を読取るように構成することができる。
【０００８】
また、上記目的を達成するために、前記用紙判別手段が判別した原稿の規定サイズに応じて、読取りの主走査幅及び又は読取りの副走査幅を拡大することにより、原稿を読取るように構成することができる。
【０００９】
また、上記目的を達成するために、前記読取り手段は、前記用紙判別手段が判別した原稿の規定サイズよりも一つ以上大きい規定サイズで読取るように構成することができる。
また、上記目的を達成するために、原稿の規定サイズを検知するサイズ検知センサと、前記サイズ検知センサの出力に基づいて、規定サイズを判別する用紙判別手段と、前記用紙判別手段が判別した原稿の規定サイズ以上で前記原稿を読取る読取り手段とを有するように構成することができる。
【発明の効果】
【００１０】
本発明によれば、規定サイズ以外の原稿サイズであっても、原稿画像の欠落を防ぎ、原稿と等倍率の原稿画像の読取りを可能とする画像形成装置の画像読取り方法及び画像形成装置を提供可能である。
【発明を実施するための最良の形態】
【００１１】
次に、本発明を実施するための最良の形態を、以下の実施例に基づき図面を参照しつつ説明していく。
【００１２】
図３は、本発明の基本原理を説明する図である。非定型紙３２は、定型サイズであるA４サイズよりもやや大きめの用紙である。ライン３３は、原稿台のセンターラインである。
検知センサ３４は、A４幅を検知する検知センサである。検知センサ３５は、A３幅を検知する検知センサである。非定型紙３２を図のようにセットする。原稿幅はA４幅よりも大きいので、検知センサ３４は、A４幅以上のサイズであることを検知する。一方、検知センサ３５は、A３幅を検知する検知センサであるので、A４幅よりやや大きめの非定型紙３２をA３幅と検知しない。このことから、非定型紙３２は、A４幅とA３幅の間の幅であると認識できる。そこで、A４幅よりも用紙規格の一つ大きいA3幅として非定型紙３２を読取る。そうすることで、非定型紙３２の原稿領域を全て包含することになるので、非定型紙３２の画像を全て読取ることが可能となり、従来のような画像欠落の不具合を解消することができる。
【実施例１】
【００１３】
図４は、本発明の画像形成装置の構成例の図である。露光ランプ４２は、原稿を照明する。反射板４３は、露光ランプの光を原稿に集光させる。ミラー４７は、反射光を反射させて、原稿からの反射光を所定の方向に導く。レンズ４４は、反射光を所定の倍率で結像させる。CCDセンサ４５は、反射光を電気信号すなわち画像データに変換する。
【００１４】
動作を説明する。画像形成装置にセットされた原稿３２は、露光ランプ４２により光を当てられる。原稿からの反射光は、ミラー４７及びレンズ４４を介してCCDセンサ４５に入射される。CCDセンサ４５は、その反射光を電気信号すなわち画像データに変換する。
【００１５】
図５は、画像形成装置の概略ブロック図である。検知センサ７５は、規格の用紙サイズを検出するためのセンサである。メインコントローラ（MCU）７１は、画像形成装置全体を制御し、用紙判別部７６を有する。用紙判別部７６は、検知センサ７５が検知した原稿サイズに基づき、読取る原稿サイズを判別する。操作部７３は、画像形成装置を操作するための入力機能及び操作状態を示す表示機能を有する。読取り部７４は、用紙判別部７６が判別した読取りサイズに基づいて、原稿を読取る。
【００１６】
図６は、操作部の概略図である。操作部は画像形成装置を操作するための入力部及び操作状態を示す表示部を有する。液晶タッチパネル５１は、コピー枚数、コピー倍率等の表示機能、コピー濃度、変倍率等の操作入力機能等を有している。また、この操作入力機能として、液晶タッチパネル５１は、読取りサイズを拡大する入力キーである読取り幅拡大５４及び読取り幅拡大設定モードの入力キーである読取り幅拡大設定５５を有する。
【００１７】
図３〜図６を用いて、本発明の動作を説明する。非定型紙３２の原稿が、図３のようにセットされているとする。非定型紙３２の左端は、A４幅を検知する検知センサ３４とA３幅を検知する検知センサ３５の間に位置している。そこで、A４幅を検知する検知センサ３４は、用紙の存在を検知し、A３幅を検知する検知センサ３５は、用紙の存在を検知しない。図５の用紙判別部７６は、これらの検知情報により、原稿サイズは、A4幅とA3幅の間であると認識し、読取る原稿サイズは両者のうち大きいサイズに相当するA3幅と判別する。この判別結果に基づき、読取り部７４は、図４の露光ランプ４２をA3幅に相当する領域を走査させる。CCDセンサ４５は、その走査された領域の画像を取り込む。こうすることで、A4規格よりも若干大きめである非定型紙を、A4幅よりも用紙規格の一つ大きいA3幅として読取ることになる。よって、読取り範囲は、非定型紙３２の原稿領域を全て包含することになるので、非定型紙３２の画像を全て読取ることが可能となり、従来のような画像欠落の問題を解決することができる。
【００１８】
次に、本発明の変形例を説明する。図７は、読取り幅拡大モードを説明する図である。まず、ステップS９０１で、原稿をセットする。次に、ステップS９０２で、読取り幅拡大モードのON/OFFを設定する。読取り幅拡大モードがOFFの場合は、図８の読取り幅自動拡大モードの処理へと進む。一方、読取り幅拡大モードがONの場合は、ステップS９０３で、A４幅以上であるかを検知する。A４幅以上と検知されない場合、ステップS９０８で、読取り幅拡大設定が“１”である場合はA４幅として読取り、一方、読取り幅拡大設定が“２”である場合はA３幅として読取る。一方、A４幅以上と検知した場合、ステップS９０４で、A３幅以上であるかを検知する。A３幅以上と検知されない場合、ステップS９０９で、読取り幅拡大設定が“１”である場合はA３幅として読取り、一方、読取り幅拡大設定が“２”である場合はA２幅として読取る。一方、A３幅以上と検知した場合、ステップS９０５で、A２幅以上であるかを検知する。A２幅以上と検知されない場合、ステップS９１０で、読取り幅拡大設定が“１”である場合はA２幅として読取り、一方、読取り幅拡大設定が“２”である場合はA１幅として読取る。一方、A２幅以上と検知した場合、ステップS９０６で、A１幅以上であるかを検知する。A１幅以上と検知されない場合、ステップS９１１で、読取り幅拡大設定が“１”である場合はA１幅として読取り、一方、読取り幅拡大設定が“２”である場合はA０幅として読取る。一方、A４幅以上と検知した場合、ステップS９０７で、A０幅で読取る。
【００１９】
図８は、読取り幅自動拡大モードを説明する図である。図７のステップS９０２において、読取り幅拡大モードがOFFの場合は、図８の読取り幅自動拡大モードの処理へと進む。ステップS５０１で、A４幅以上であるかを検知する。A４幅以上と検知されない場合、ステップS５０７で、読取り幅をA４幅として読取る。一方、A４幅以上と検知した場合、ステップS５０２で、A３幅以上であるかを検知する。A３幅以上と検知されない場合、ステップS５０８で、読取り幅をA４幅として読取る。一方、A３幅以上と検知した場合、ステップS５０３で、A２幅以上であるかを検知する。A２幅以上と検知されない場合、ステップS５０９で、読取り幅をA３幅として読取る。一方、A２幅以上と検知した場合、ステップS５０４で、A１幅以上であるかを検知する。A１幅以上と検知されない場合、ステップS５１０で、読取り幅をA２幅として読取る。一方、A１幅以上と検知した場合、ステップS５０５で、A０幅以上であるかを検知する。A０幅以上と検知されない場合、ステップS５１１で、読取り幅をA１幅として読取る。一方、A０幅以上と検知した場合、ステップS５０６で、読取り幅をA０幅として読取る。
【００２０】
図９は、読取り幅拡大設定の方法を説明する図である。この読取り幅拡大設定は、用紙判別部７６が判別した読取りサイズよりもさらに大きい規格化されたサイズを読取ることを可能とするものである。設定方法は、まず、ステップS６０１で、図６の読取り幅拡大設定キー５５を押下する。そして、判別部７６が判別した読取りサイズよりもさらに数段階大きく読取る場合、ステップS６０２で、その段階数を読み取り幅拡大設定値としてテンキー５２にて入力する。例えば、さらに１段階大きく読取る場合、テンキー５２の“１”を、２段階大きく読取る場合、テンキー５２の“２”を入力する。次に、ステップS６０３で、エンターキーを押下する。このようにして、読取り幅拡大設定値を確定する（S６０４）。
【００２１】
図１０は、本発明の効果を説明する図である。非定型紙３２は、定型サイズであるA４サイズよりもやや大きめの用紙である。
【００２２】
検知センサ１２〜１６は、A4幅の存在を検知し、A3幅の存在を検知しない。そこで、用紙判別部７６は、非定型紙３２のサイズはA４幅A３幅の間の幅であることから、A４幅よりも用紙規格の一つ大きいA3幅として非定型紙３２を読取る。そうすることで、非定型紙３２の原稿領域を全て包含することになるので、読取り範囲７０２のように非定型紙３２の画像を全て読取ることが可能となり、従来のような画像欠落の問題を解決することができる。また、本発明の読取り幅拡大設定により、例えば、読取り幅をさらに2段階大きく読取る場合、拡大設定値を“２”にすることにより、読取り範囲は読取り範囲７０３となる。このように、自由に読取り範囲をさらに大きくすることも可能である。
【００２３】
また、検知センサの位置の変形例として、読取り基準が図１のような原稿台のセンター（ライン１１）でなく、原稿台のコーナーである場合、検知センサは、読取りの主走査方向及び副走査方向に配置してもよい。
【００２４】
本発明は、具体的に開示された実施例に限定されるものではなく、特許請求の範囲から逸脱することなく、種々の変形や変更が可能である。
【図面の簡単な説明】
【００２５】
【図１】画像形成装置におけるサイズ検知センサの配置を示す図である。
【図２】従来技術を説明する図である。
【図３】本発明の基本原理を説明する図である。
【図４】本発明の画像形成装置の構成例の図である。
【図５】画像形成装置の概略ブロック図である。
【図６】操作部の概略図である。
【図７】本発明の変形例（その１）を説明する図である。
【図８】本発明の変形例（その２）を説明する図である。
【図９】読取り幅拡大設定の方法を説明する図である。
【図１０】本発明の効果を説明する図である。
【符号の説明】
【００２６】
１１、１２，１３，１４、１５、１６、７５  検知センサ
３２  非定型紙
４２  露光ランプ
４３  反射板
４４  レンズ
４５  CCDセンサ
４７  ミラー
５１  液晶タッチパネル
５２  テンキー
５４  読取り幅拡大キー
５５  読取り幅拡大設定キー
７１  メインコントローラ（MCU）
７２  画像処理ユニット（IPU）
７３  操作部
７６  用紙判別部
【図１】
2006262166.tif 000003
【図２】
2006262166.tif 000004
【図３】
2006262166.tif 000005
【図４】
2006262166.tif 000006
【図５】
2006262166.tif 000007
【図６】
2006262166.tif 000008
【図７】
2006262166.tif 000009
【図８】
2006262166.tif 000010
【図９】
2006262166.tif 000011
【図１０】
2006262166.tif 000012